(57)【要約】【課題】  有効期限のある工業製品を広く利用希望者に提供して、廃棄処理を防ぎ環境負荷を低減することのできるリアルタイムの流通システムを提供する。【解決手段】有効期限のある工業製品の一つである余剰塗料を、会員間で互いに提供できる組織とし、会員が提供する余剰塗料の品質認定と商品選定を行い、取扱い情報、物質安全情報、および、有効期限を添付した商品として電子流通システムに公開し、有効期限前までに利用者が購入すれば、集配送会社による区域内の出品物の集荷と配送により、購入者は余剰ペイントが出品されてから1両日中に指定の配送場所で購入品を受け取り利用することができる。【選択図】図１
2011070457.tif 000002
【特許請求の範囲】
【請求項１】
品質を保証するためにメーカまたは関連業界により設定されている有効期限を有する工業製品を、残る有効期限内に利用できるよう、リアルタイムのオンライン流通システムを構築し、利用希望者に提供する方法。有効期限を有する工業製品とは、医薬品、医療器具、衛生器具、避妊具、化粧品、塗料、インキ、トナー、コーティング剤、発煙筒、消火器、電池、精密電子機器、使い捨てカイロ、感光性フイルム、化学薬品、粉体、繊維、食品、原材料等をいう。
【請求項２】
有効期限のある工業製品の一つは、塗料のユーザである個人または法人が所有する余剰塗料であり、会員管理端末機２に登録された会員である所有者は余剰塗料を当該リアルタイム流通システムの仕入管理端末機３へ出品することができ、出品物は流通システム管理者により品質検査を受けて合格したものは利用可能な商品として認証され、商品には利用に必要な取り扱い情報や品質安全情報および有効期限が添付されて商品管理端末機４に登録されて店舗管理端末機５を経てオンラインショップに提供され、商品はオンラインショップ上で利用希望者により選別され指定を受けて決済管理端末機６にて購入決済を経ることができ、決済を経た商品は集配管理端末機７から集配送会社に送付され地域内処理を優先して出品者から集荷され利用希望者に配送されることを特徴とする、有効期限のある余剰塗料のリアルタイム流通システムを特徴とするオンラインショップ。
【発明の詳細な説明】
【技術分野】
【０００１】
本発明は、使用上有効期限のある工業製品を利用するためのリアルタイムに即した流通方法と環境改善に関するものである。
【背景技術】
【０００２】
工業製品には化学的経時変化による品質の劣化を起こすものがたくさんある。このような工業製品には、医薬品、医療器具、衛生器具、避妊具、化粧品、塗料、インキ、トナー、コーティング剤、発煙筒、消火器、電池、精密電子機器、使い捨てカイロ、感光性フイルム、化学薬品、粉体、繊維、食品、原材料等、多くの製品が知られている。これらの製品には、使用時の品質を保証するため、有効期限、機能保持期限、使用期限、耐用年数等の表現を用いて説明されている。劣化による経時変化と品質の限界をあらわす言葉が多いので、以下では、便宜のため「有効期限」として説明する。有効期限は、製品の品質を保証するためにメーカまたは関連業界により設定されている。従って、有効期限が過ぎたものは、品質の劣化が想定され、リサイクル処理や廃棄処分の対象になる。
【０００３】
有効期限内にある工業製品を法人または個人が保有し、使用計画のないものを、以下では、「余剰製品」と呼ぶことにする。余剰製品は、品質が保証される有効期限を過ぎると廃棄処分することになり環境負荷を増大させるので、有効期限内に有効利用した後に廃棄処理することが最も望ましい。しかし、余剰製品の利用計画がない場合、譲度したい製品の情報を必要とする市場に提供して第三者による有効期限内の利用を促進することが望まれる。
【０００４】
従来、そのような取り組みとして、中古市場などが運用されているが、余剰製品について実効のある方法は知られていない。余剰製品については、当該工業製品のメーカが培ってきた流通方法とノウハウは、その商品の流通方法として最も優れた方法の一つと考えられている。有効期限のある余剰製品の実用的な新たな流通システムを構築することは、メーカの立場からは進め難く、第3者が行うには、専門的、経済的、および、時間的制約に大きな困難がある。既存の方法で余剰製品の流通市場を提供するには、仕入れ、性能と品質の認定と評価、正確で専門的な情報の提供、製品譲度の条件、集配送に必要な時間、決済、納入場所、および、納期等、複雑な流通経路と厄介な処理を経る必要がある上に、多くの場合製造費に匹敵する流通経費がかかることになり、メリットが見込めなかった。
【０００５】
本願発明になる流通システムでは、以下の説明をわかり易くするため、有効期限のある多くの工業製品についての説明を省略し、塗料、インキ、および、コーティング剤を例にして説明を行うが、上述した、有効期限のある工業製品に対しても同様に応用することができる流通システムと方法であり、以下に説明する余剰ペイントだけに限定するものでないことを明らかにしておきたい。
【０００６】
塗料の有効期限はポットライフとも呼ばれ、塗料の種類によって有効期限は異なっているが、有効期限内で利用することにより塗料としての機能が維持され安全に使用することができる。しかし、建物や橋梁などの塗装作業を実施するに当たり、塗工作業に必要な塗料の量を的確に設計することは難しく、施工中に原料不足を来さないように必ず安全を見越して余剰の塗料を準備する必要がある。その結果、塗工の現場では、作業の終了とともに余剰の塗料が残ることになる。余剰の塗料は、塗装会社の責任による後処理が必要になるが、現状ではやむをえぬプロセスとされている。
【０００７】
余剰塗料の後処理は、大きく分けるとリサイクル処理と廃棄処理に二分される。塗料のリサイクル処理は、回収費用に加えて、色調の再調整、溶剤の分離・回収、または、固形分の回収、加工製品等へのリサイクル費用が必要である。今後、リサイクル技術が進んだとしても、元の塗料の価値を持つリサイクル製品を作り出す方法は知られていないという問題がある。その結果、余剰塗料は、廃棄費用をかけて焼却や埋め立て処分されることが多く、地域の環境問題の一つとなっている。リサイクルに比し廃棄処理が容易なので、必然的な流れとなっている。
【０００８】
以上の理由から、有効期限のある工業製品、ここでは塗料を、有効期限が過ぎて廃棄処分することは無駄が大きく、社会資源の大きな損失につながっているという問題があった。実際、全国で建築関係の塗装工事に携わる施工業者は３６００社以上になるが、これらの塗装業関係者は経営の重点施策として、環境汚染の防止、産業廃棄物の低減、省エネルギー、および、省資源等の地球環境保全に腐心するという問題がある。
【０００９】
従来の文献で関連する流通システムの状況を次に説明する。先行技術文献として特許文献１の流通システムでは、発注データ信号を基に商品の発注集計データ信号を親機で作成し、発注集計データを商品受注用子機と移動集配装置に提供し、移動集配手段を移動させて商品を収集して納品箇所に商品を順次配給するシステムである。しかし、仕入れ、出品、商品の有効期限、品質の認定、有効期限の管理等、商品の流通で大切な、仕入れ機能での商品の品質認定機能が使えないという問題がある。
【００１０】
特許文献２の流通システムでは、廃品の排出時に排出者の手違いによる集配業者への未入金を防止する手段として、集配管理センタを設置し集配情報処理装置を設置、発注情報処理装置を有する集配受注者と、決済情報管理装置を有する決済センタ携帯基地局と、決済機関と、集配実行者が所持する携帯端末が回線網に接続されているシステムを構築することによって、廃品排出者が廃品を破棄するときはこの集配管理センタへ連絡すれば、適当な集配業者を選定することができる。しかし、当該方法では、排出者と集配業者間の取引が確実になるだけであり、本願が目的とする仕入れに必要な品質の専門的な評価と選別、販売と受注、決済、集荷、および、配送の目的を達することができないという問題がある。
【００１１】
特許文献３の流通システムでは、小売業者端末、卸売業者端末、生産者端末、システム管理端末、および、配送管理端末とが、それぞれインターネット回線を介して電子商談サーバに接続されており、商品情報、商談情報、発注情報、清算情報、在庫情報、出荷情報などの流通取引に必要な各種情報が蓄積されており、取引者同士が前記各端末を用いて各種情報を共有することにより取引を行うが、本願が目的とする有効期限のある工業製品の品質を評価・認定する機能、商品を管理するサーバ機能、リアルタイムの仕入れ機能が欠けているという問題がある。つまり、出品者、仕入情報、工業製品の出品認定基準を専門的に判断する機能等が備わっていないという問題があった。
【００１２】
本願発明では、リアルタイムで扱うことのできるリアルタイム流通システムを構築し、有効期限のある余剰塗料を有効期限内に第三者によって利用できるようにすることで、広く有効期限をもつ工業製品の廃棄処理を減じ、ひいては、環境負荷を減じる方法を提供する。
【先行技術文献】
【特許文献】
【００１３】
【特許文献１】特開１９０６−３０９６２３号公報「生鮮食料品等の商品の受発注兼集配方法及びその装置」
【特許文献２】特開２０００−１３４２３７号公報「物品またはサービスの集配と集配決済との連携方法」
【特許文献３】特開２００２−２９４８１７号公報「電子商談システム」
【発明の概要】
【発明が解決しようとする課題】
【００１４】
解決しようとする問題点は、化学的な劣化を伴う余剰ペイントは、品質が保証される有効期限（半年から約1年）を過ぎると廃棄処分されるが、ペイントの廃棄処理は環境負荷を増大させるので、できるだけ廃棄処理を防止して環境負荷を低減する必要がある。廃棄処理を防ぐには、リアルタイムで稼働する流通システムを構築し、使用計画がなく譲度したい塗料の情報を、必要とする市場に提供して第三者による有効期限内の利用を促進することであるが、実現は困難であった。
【００１５】
既存の方法による流通システムでは、法人または個人の保有する余剰塗料について、正確で専門的な情報の提供、性能と品質の認定、製品譲度の条件、集配送に必要な時間、決済、納入場所、納期、取引価額等、複雑な流通経路と必要で厄介な処理を経る必要がある上に、多くの場合製造費に匹敵する流通経費がかかることになるので、余剰塗料に対して、専門的、経済的、および、時間的に対応可能な流通システムを構築することは困難であった。
【課題を解決するための手段】
【００１６】
本発明によれば、図1に示すように、余剰塗料を持つ法人または個人５０は、譲度したい商品情報（出品物）を仕入管理端末機３へ送付し、同端末機３にて品質認定と商品選定を受け合格すると、商品管理端末機４に登録され、在庫管理が行われる。各地域の店舗の要求に合わせて商品管理端末機４から店舗管理端末機５にてインターネットショップに公開される。有効期限の1週間前までに利用者５１，５２が決まると、集配送管理端末機７を経て集配送会社２０による出品物の集荷が出品者５０から行われ、決済管理端末機６より出品者に対して売上金の決済が行われる。また、購入者５１，５２は1両日中に指定の配送場所で商品を受け取ることができる。このように、商品の仕入れから納品まで、集配送地区内では早ければ当日、遅くても1両日以内に余剰ペイントを購入し、受け取ることができて、塗装事業に利用することができる。
【００１７】
本発明になる、リアルタイム流通システムでは、以下に説明する通り、流通機構に必要な多くの自動処理を行えるよう構築されており、現実的な仕入れ管理、店舗管理、納品管理をすることで、余剰製品の有用な利用をリアルタイムで進めることが可能になった。中でも重要なのは、仕入管理端末機３でおこなう品質認定と利用者に必要な使用説明書、物質安全データ、および、有効期限等の情報を添付した商品登録である。品質認定は商品と当該流通システムの信頼性に関る問題であり、品質管理に専門的なノウハウが援用されてはじめて可能になっている。
【発明の効果】
【００１８】
本願が取り扱う有効期限のある余剰製品のうち、代表的な製品の一つである余剰ペイントに関するリアルタイム流通システムの有用性とその効果について説明した。余剰ペイントで有効期限が1週間以上の製品を保有する多数の法人や個人から製品移譲の情報を受け、リアルタイムでそれを必要とする多数の人に情報を提供し、可及的速やかに余剰製品を提供することができる的確な流通システムを提供する。当該流通システムでは、購買者が使用上必要とする十分な情報を提供するとともに、指定する物品の必要量を出品者から集荷し、指定された場所へ、指定された時間帯に配送する。会員である出品者は廃棄処分を免れるので集配業者による集荷に責任を持って応ずるという利点がある。
【００１９】
また、余剰ペイントは本来廃棄処理の運命にあるにもかかわらず、組合員による再利用が可能になるので、販売価額と入荷価額を合理的なレベルに維持できるという利点がある。また、余剰ペイントの利用により廃棄処分が減るので、社会的資源が損なわれずに済むことと、廃棄処分が引き起こす環境負荷の問題を低減できるという利点がある。
【図面の簡単な説明】
【００２０】
【図１】図１は有効期限のある余剰工業製品のリアルタイム流通システムの説明図である。（実施例１）
【発明を実施するための形態】
【００２１】
余剰ペイントは、メーカから一度は個人や塗装業者である購入者の手に渡ったものなので、更なる取り扱いは品質の保証と信頼性が重要な課題となる。余剰ペイントを利用希望者へ提供するには、商品の提供者は塗装業界の関係者で組織する会員であることが望ましい。目的を等しくする会員の間の相互扶助を基本とし、会員間の理解を得る為の努力と、相互信頼に基づいた取引にすることにより、不良商品の持つ被害をなくすることができる。
【００２２】
リアルタイム流通システムを提供するリアルタイム流通機構は、入会希望者にたいして登録情報の調査を経て、会員ＩＤをＱＲコードとして発行し、通信による会員の認定は常にＱＲコードで行えるようにする。会員管理端末機２を置き、会員情報の登録、照合、取引、事故、信用、変更等について、本件取引に関連する情報を整理し、支障が起こらないよう会員の管理と支援をおこなう。
有効期限内にある余剰ペイントを保有する会員は廃棄処分を避けるため、当該リアルタイム流通システムに出品することができる。出品物が通常の品質を保証する上で必要な最小限の条件として、容器が未開封の製品である必要がある。出品者は、出品物の正確な情報を仕入管理端末機３へ送付する。
【００２３】
出品物の正確な情報を伝達する方法として、出品伝票に、ＱＲ会員コード、１枚のラベル写真（製造メーカ、製品名、色、ロットナンバー、製造年月）、未開封シールを含む荷姿写真、および、数量を添付し、仕入管理端末機２に送付する。
システム管理者は、商品管理端末機４から、出品伝票の情報に基づいて、商品としての品質の評価と認定、および、選別を行う。認定に合格した出品物は、店舗商品として、更に商品の取り扱い説明書、物質安全データ、有効期限、および、販売価額が添付される。また、販売価額には会員のための会員価額と非会員用の価額が登録され、商品管理端末機４へ送付される。店舗商品として登録した出品物は、出品者に商品登録通知を送付する。しかし、商品の認定から外れたものには、不採用通知を送付する。商品の購入に関して、非会員も購入することができるが一般価額で提供することになる。
【００２４】
商品管理端末機４は、商品情報、在庫量、商品価額、および、有効期限を店舗管理端末機５に送付する。店舗管理端末機５はインターネット上８０で公開し、多数の会員や非会員がアクセスできるようにする。ここでは、当該システムの主用な利用者である塗装施工業者の会員が、必要な物と量を、必要なところへ、必要な時に、入手できるようにするのが主要な目的である。しかし、店舗管理端末機５は、会員と非会員を区別して、会員には有利な販売価額が提示できるようにし、商品の照会、選択、決済、集配送日時の管理ができる。また、有効期限が１週間後に迫った商品は店頭から引落して、流通システムから除外する。
【００２５】
店舗管理端末機５の訪問者はインターネット上で店舗商品の選択と決済を行うことができる。購入の決済手続きを、クレジットカード、電子マネー、財布携帯、銀行振込、コンビニエンスストアー振込、商品が届いてから支払う後払い等、希望する支払い方法を自由に選んでおこなうことができる。
【００２６】
決済の情報は決済管理端末機６に送付され集配送手続きが取られる。決済が済んだ商品にたいして、店舗管理端末機５は受注受付票を購入者端末機５１と商品管理端末機４に送付し、商品の在庫引当をする。受注受付票には、会員ＱＲコード、商品コード、購入数量、配送先、配送条件の情報が記載されている。決済管理端末機６は決済手続き情報を受け取ると、商品の集配送手続きに必要な情報を、集配送管理端末機７へ送付し、集配送管理端末機７は集配送伝票を契約先の集配送会社へ送付する。集配送会社２０は受け取った集配送伝票に基づいて、出品者６０から商品を集荷し、発注者５１，５２の指定先へ配送する。
【００２７】
集配送伝票には、集荷先コード、商品コード、集荷量、および、日時等の情報と、配送先、および、日時等の情報が記載される。集荷先は配送先の配送エリア内から選別するというエリア限定策を導入し、集配送時間とコストを最も合理的にすることができる。しかし、出品商品の登録が同じ配送エリア内にない場合は、隣接エリアの集荷先を指定したり、また、隣接エリア内で出品商品が得られない場合、更に集配エリアを拡大して集配機能を高めることができる。
【００２８】
以上に説明したように、有効期限のある工業製品の一つとして余剰ペイントを例にして、リアルタイム流通システムを構築し、工業製品の廃棄処分を減らし、社会資源を損なうことなく環境負荷を低減することのできる方法を実現した。
【実施例１】
【００２９】
図１は、本発明になるリアルタイム流通システムの実施例１における流通システムの機能構成図である。
同図に示すシステム管理端末機１はシステム管理用のサーバであるが、本システムの機能を分担する２〜７の各種端末機と接続されており、更に、ネットワーク８０を介して配送会社の端末機２０および不特定多数の会員の端末機５０〜５２と接続されている。中でも店舗管理端末機５は常にネットワーク８０に接続されており、仕入れと販売を通じて不特定多数の会員、一般の塗料ユーザ、および、当該流通システムや商品に興味を持つネットサーファーとの接触窓口になるため、高度なセキュリティ機能を備えている。
【００３０】
会員の特定のためにＩＤナンバーやパスワードを使用するとき、携帯端末を使用するとキーの操作ミスによる間違いがおこる。このような間違いを防止するため、写真電送のできる会員用ＱＲコードの利用を取り入れた。
【００３１】
会員管理端末機２は、会員ＩＤとしてＱＲコードを発行し、モバイル経由の通信に対して個人情報をＱＲコードとして添付し正確な伝達ができるようにした。会員ＱＲコードには住所や電話番号が登録され、商品の集配送時にもエリア情報として利用できるようになっている。会員ＱＲコードはモバイルの利用に限るものではなく、メール機能の一つとして会員の利益のために利用することができる。
会員が出品する余剰ペイントに関する情報は、メーカ、製品名、色、ロットナンバー、製造年月、容器の封止用シール等の情報に間違いがないよう１枚の写真情報として提供されるようデジタル写真をメールに添付して仕入管理端末機３に送付される。受け取った写真情報から、専門家により正確に表計算ソフトの電子情報に変換されるようにした。
【００３２】
法人または個人の手元にある商品は電子情報化されていないのが普通であり、出品情報などを記入するとき、読み取りや手書きによる間違いが発生しやすい。不特定多数の商品の情報を１００％間違いなく特定するために、映像情報としで流通機構に誤りのない商品情報を伝えることが可能になった。
【００３３】
仕入管理端末機３に送付された出品情報は取り扱い可能な余剰ペイントについての品質の評価と認定に関する厳格な一次審査が行われる。各出品物には商品ＩＤが付され、メーカ、製品名、製品ロット、製造月、および、有効期限について調査され、蓄えられた製品データバンクからの情報と厳密に照合され、商品として取り扱い可能か否かの認定を行う。二次審査では、容器封印と容器損傷状態、および、商品としての社会的ニーズが審査され、合格すると、商品の取り扱い説明書、物質安全データ、有効期限、および、会員価額と非会員価額が添付されて商品管理端末機４へ送付され、商品台帳に登録される。各審査の過程で不合格になった出品物は、ただちに仕入れ中止のメール連絡が出品者５０へ送付される。
【００３４】
商品台帳の商品は、在庫管理台帳を経て他の商品とともに店舗管理端末機５へ送付される。地域の流通システム管理者により、店舗管理端末機５から店舗商品台帳に移され、会員や非会員が照会や購入することのできる店舗商品になる。
【００３５】
有効期限のある工業製品を扱う流通システムで最も重要なのは、会員が信頼できる商品を提供し出品するための正確な情報である。また、商品としての品質を認定する専門知識を持つ仕入れ機構の構築であり、リアルタイムで、必要十分な商品情報を提供し、会員が必要な商品を自由に選別でき、決済を経た商品は、集荷と配送の機構を経て目的の場所へ目標の時間帯に届けることである。
【００３６】
本発明の主体は、有効期限のある工業製品のなかで、仕入れる余剰製品に評価と認定を加え、選別、決済、集荷、配送供給をリアルタイムで実現する流通システムである。仕入れコストを最小限に抑制し、流通経費と必要な時間を最小限にとどめ、有効期限内の利用を促し、環境負荷を低減するための方法を提供するものであり、既存の技術を利用できる各種端末機の機能や台帳に付加する機能の説明は省略する。
【産業上の利用可能性】
【００３７】
有効期限のある工業製品が廃棄処理されるのを防ぐため、リアルタイム流通システムを構築し、残る有効期限内で当該工業製品の利用を促進する流通方法である。工業製品の社会的資源を有効利用し、廃棄物処理に伴う環境負荷を減らすことができる。本発明は、例として説明した有効期限内にある余剰ペイントを広範に利用できるリアルタイム流通システムの構築方法を明らかにし、余剰塗料の利用を促進して、廃棄が引き起こす環境負荷を改善するために利用できる。
【符号の説明】
【００３８】
１    システム管理端末機
２    会員管理端末機
３    仕入れ管理端末機
４    商品管理端末機
５    店舗管理端末機
６    決済管理端末機
７    集配送管理端末機
２０  集配送会社
５０  会員端末機Ａ
５１  会員端末機Ｂ
５２  会員端末機Ｃ
８０  インターネット回線
【図１】
2011070457.tif 000003